(57)【要約】【課題】道路工事の際に警察署又は役所へ提出する工事用保安用品等を配置した配置図を簡便に作成することができ、それに伴って配置を説明する際に容易に理解を得るための工事用保安用品配置システムを得る。【解決手段】道路工事区画を模した道路図の画像表示用データを記録させた道路図記録手段と、保安用品の画像表示用データを記録させた保安用品記録手段と、道路図記録手段から道路図を選択する道路図選択手段と、保安用品を選択する保安用品選択手段と、選択された道路図中へ選択された保安用品を配置する位置を設定する配置位置設定手段と、各々に選択された道路図と保安用品との各画像表示用データに基づいて表示すべき画像に対する視点位置を選択する視点選択手段と、各画像表示用データで表される道路図と該道路図上に配置される保安用品とを視点位置から見た画像として表示画面に表示させる表示制御手段とを備えもの。【選択図】      図１
2004157905.tif 000002
【特許請求の範囲】
【請求項１】
１つ以上の道路工事区画を模した道路図の画像表示用データを記録させた道路図記録手段と、
前記道路工事に用いられる１つ以上の保安用品の画像表示用データを記録させた保安用品記録手段と、
前記道路図記録手段から１つの道路図を選択する道路図選択手段と、
前記保安用品記録手段から１つ以上の保安用品を選択する保安用品選択手段と、
選択された前記道路図中へ選択された前記保安用品を配置する位置を設定する配置位置設定手段と、
各々に選択された道路図と保安用品との各画像表示用データに基づいて表示すべき画像に対する視点位置を選択する視点選択手段と、
前記各画像表示用データで表される道路図と該道路図上に配置される保安用品とを前記視点位置から見た画像として表示画面に表示させる表示制御手段とを備えたことを特徴とする工事用保安用品配置システム。
【請求項２】
前記道路図記録手段に記憶された道路図の画像表示用データに該当しない道路図を作成する道路形状作図手段を備えたことを特徴とする請求項１に記載の工事用保安用品配置システム。
【請求項３】
前記視点選択手段が、視点位置として自動車ドライバーの視点位置を選択可能であることを特徴とする請求項１又は２に記載の工事用保安用品配置システム。
【請求項４】
前記表示制御手段で表示された保安用品の画像表示用データが、保安用品の３次元形状データを含むものであることを特徴とする請求項１から３の何れか１項に記載の工事保安用品配置システム。
【請求項５】
前記道路図の画像表示用データが、道路周辺の３次元建物情報を備えた縁路データを含むことを特徴とする請求項１〜４の何れか１項に記載の工事保安用品配置システム。
【請求項６】
前記道路図の画像表示用データと、前記保安用品の画像表示用データとが、夜間の状態を示すデータを含むことを特徴とする請求項１〜５の何れか１項に記載の工事保安用品配置システム。
【請求項７】
１つ以上の道路工事区画を模した道路図の画像表示用データを記録させた道路図記録手段と、前記道路工事に用いられる１つ以上の保安用品の画像表示用データを記録させた保安用品記録手段とを備え、１つ以上のネット端末からネット回線を介してアクセス可能なホストコンピュータと、
前記ホストコンピュータの道路図記録手段から１つの道路図を選択する道路図選択手段と、前記保安用品記録手段から１つ以上の保安用品を選択する保安用品選択手段と、選択された前記道路図中へ選択された前記保安用品を配置する位置を設定する配置位置設定手段と、各々に選択された道路図と保安用品との各画像表示用データに基づいて表示すべき画像に対する視点位置を選択する視点選択手段と、前記各画像表示用データで表される道路図と該道路図上に配置される保安用品とを前記視点位置から見た画像として表示画面に表示させる表示制御手段によって得られた画像をネット端末の表示装置に表示させる表示手段とを備えたネット端末と、前記ネット端末の表示装置に表示された画像をプリントアウトする印刷手段とを備えたことを特徴とする工事用保安用品配置システム。
【請求項８】
前記道路図記録手段に記憶された道路図の画像表示用データに該当しない道路図を作成する道路作図手段を前記ホストコンピュータ又はネット端末に備えたことを特徴とする請求項７に記載の工事用保安用品配置システム。
【請求項９】
作成された道路形状図を道路図の画像表示用データとして前記道路図記録手段に記憶させることを特徴とする請求項８に記載の工事用保安用品配置システム。
【請求項１０】
前記保安用品記録手段が保安用品ごとの商品価格を記憶した価格データを更に備え、
前記保安用品選択手段で選択された保安用品の総合価格を算出し、算出結果を前記表示装置に表示する算出手段を備えたことを特徴とする請求項７〜９の何れか１項に記載の工事用保安用品配置システム。
【発明の詳細な説明】
【０００１】
【発明の属する技術分野】
本発明は、道路工事の際に警察署又は役所へ提出する工事用保安用品等を配置した配置図を簡便に作成することができ、それに伴って配置を説明する際に容易に理解を得るための工事用保安用品配置システムに関するものである。
【０００２】
【従来の技術】
道路においては、工事若しくは作業をしようとする場合には、道路使用許可と道路専用許可とが必要となる。このため、道路工事を行うためには警察署へ道路使用許可申請を、役所へ道路専用許可申請を何れか一方の窓口に提出する。許可に当たっては、道路における危険を防止し、その他交通の安全と円滑を図るため必要な条件が付される。作業者・監督者においては、付された条件を厳守し、保安対策を徹底する必要がある。
【０００３】
ところで、使用許可、占用許可の申請については、工事現場の位置を示す工事現場位置図、迂回路の状況等を示す工事現場周辺道路状況図、工事用保安用品等を配置した配置図（安全対策図）、設計図・工程表等の書類が必要となる。
【０００４】
一方、３次元地図を表示することのできる車載用ナビゲーション装置において、視点位置を任意の位置に変更することのできるものがある（例えば、特許文献１参照）。
【０００５】
【特許文献１】
特開平１１−３１６８２４号公報
【０００６】
【発明が解決しようとする課題】
道路使用許可申請書又は道路占用許可申請書に添付するための工事用保安用品等を配置した配置図は、許諾のための説明に使用されるため、許諾を行うために容易に理解を得られる必要がある。また、説明する際にも速やかに目線を変更させる必要がある。
【０００７】
本発明は、道路工事の際に警察署又は役所へ提出する工事用保安用品等を配置した配置図を簡便に作成することができ、それに伴って配置を説明する際に容易に理解を得るための工事用保安用品配置システムを得ることを目的とする。また、道路工事に際して不足無く工事用保安用品を選択し、道路状況に応じて最適な配置に配することを事前に検討することができ、結果的に工事現場に差し掛かるドライバー及び歩行者の安全を確保することのできる工事用保安用品配置システムを得ることを目的とする。
【０００８】
【課題を解決するための手段】
請求項１に記載された発明に係る工事用保安用品配置システムは、１つ以上の道路工事区画を模した道路図の画像表示用データを記録させた道路図記録手段と、
前記道路工事に用いられる１つ以上の保安用品の画像表示用データを記録させた保安用品記録手段と、
前記道路図記録手段から１つの道路図を選択する道路図選択手段と、
前記保安用品記録手段から１つ以上の保安用品を選択する保安用品選択手段と、
選択された前記道路図中へ選択された前記保安用品を配置する位置を設定する配置位置設定手段と、
各々に選択された道路図と保安用品との各画像表示用データに基づいて表示すべき画像に対する視点位置を選択する視点選択手段と、
前記各画像表示用データで表される道路図と該道路図上に配置される保安用品とを前記視点位置から見た画像として表示画面に表示させる表示制御手段とを備えたことを特徴とするものである。
【０００９】
請求項２に記載された発明に係る工事用保安用品配置システムは、請求項１に記載された道路図記録手段に記憶された道路図の画像表示用データに該当しない道路図を作成する道路形状作図手段を備えたことを特徴とするものである。
【００１０】
請求項３に記載された発明に係る工事用保安用品配置システムは、請求項１又は２に記載された視点選択手段が、視点位置として自動車ドライバーの視点位置を選択可能であることを特徴とするものである。
【００１１】
請求項４に記載された発明に係る工事用保安用品配置システムは、請求項１〜３の何れか１項に記載された表示制御手段で表示された保安用品の画像表示用データが、保安用品の３次元形状データを含むものであることを特徴とするものである。
【００１２】
請求項５に記載された発明に係る工事用保安用品配置システムは、請求項１〜４の何れか１項に記載された道路図の画像表示用データが、道路周辺の３次元建物情報を備えた縁路データを含むことを特徴とするものである。
【００１３】
請求項６に記載された発明に係る工事用保安用品配置システムは、請求項１〜５の何れか１項に記載された道路図の画像表示用データと、前記保安用品の画像表示用データとが、夜間の状態を示すデータを含むことを特徴とするものである。
【００１４】
請求項７に記載された発明に係る工事用保安用品配置システムは、１つ以上の道路工事区画を模した道路図の画像表示用データを記録させた道路図記録手段と、前記道路工事に用いられる１つ以上の保安用品の画像表示用データを記録させた保安用品記録手段とを備え、１つ以上のネット端末からネット回線を介してアクセス可能なホストコンピュータと、
前記ホストコンピュータの道路図記録手段から１つの道路図を選択する道路図選択手段と、前記保安用品記録手段から１つ以上の保安用品を選択する保安用品選択手段と、選択された前記道路図中へ選択された前記保安用品を配置する位置を設定する配置位置設定手段と、各々に選択された道路図と保安用品との各画像表示用データに基づいて表示すべき画像に対する視点位置を選択する視点選択手段と、前記各画像表示用データで表される道路図と該道路図上に配置される保安用品とを前記視点位置から見た画像として表示画面に表示させる表示制御手段によって得られた画像をネット端末の表示装置に表示させる表示手段とを備えたネット端末と、前記ネット端末の表示装置に表示された画像をプリントアウトする印刷手段とを備えたことを特徴とするものである。
【００１５】
請求項８に記載された発明に係る工事用保安用品配置システムは、請求項７に記載された道路図記録手段に記憶された道路図の画像表示用データに該当しない道路図を作成する道路作図手段を前記ホストコンピュータ又はネット端末に備えたことを特徴とするものである。
【００１６】
請求項９に記載された発明に係る工事用保安用品配置システムは、請求項８で記載された作成された道路形状図を道路図の画像表示用データとして前記道路図記録手段に記憶させることを特徴とするものである。
【００１７】
請求項１０に記載された発明に係る工事用保安用品配置システムは、請求項７〜９の何れか１項に記載された保安用品記録手段が保安用品ごとの商品価格を記憶した価格データを更に備え、
前記保安用品選択手段で選択された保安用品の総合価格を算出し、算出結果を前記表示装置に表示する算出手段を備えたことを特徴とするものである。
【００１８】
【発明の実施の形態】
本発明においては、１つ以上の道路工事区画を模した道路図の画像表示用データを記録させた道路図記録手段と、前記道路工事に用いられる１つ以上の保安用品の画像表示用データを記録させた保安用品記録手段と、前記道路図記録手段から１つの道路図を選択する道路図選択手段と、前記保安用品記録手段から１つ以上の保安用品を選択する保安用品選択手段と、選択された前記道路図中へ選択された前記保安用品を配置する位置を設定する配置位置設定手段と、各々に選択された道路図と保安用品との各画像表示用データに基づいて表示すべき画像に対する視点位置を選択する視点選択手段と、前記各画像表示用データで表される道路図と該道路図上に配置される保安用品とを前記視点位置から見た画像として表示画面に表示させる表示制御手段とを備える。これにより、道路工事の際に警察署又は役所へ提出する工事用保安用品等を配置した配置図を簡便に作成することができ、それに伴って配置を説明する際に容易に理解を得ることができる。
【００１９】
本発明の道路図の画像表示用データとしては、幾つかの道路形状を納めた中から選択してもよく、道路図記録手段に登録されている既存のデータのうちから近い形状のものを実際の道路形状に変形させたり、新たに作成して用いてもよい。また、変形させた道路形状、新たに作成した道路形状を道路図の画像表示用データとして登録保存してもよい。尚、システムには新たに作成するため、又は既存のデータを変形させるための作図手段を備える。
【００２０】
更に、ナビゲーション地図等の既存のデジタル情報から作成された地図を取り込んで、該当する部分を道路図の画像表示用データとして利用するための取込み手段を備えてもよい。また、新たに取り込んだ道路形状を道路図の画像表示用データとして登録保存してもよい。
【００２１】
本発明の工事用保安用品の形状データとしては、工事現場を囲む簡易フェンス、更にその外周に配置するパイロン、回転灯等の工事用保安用品だけでなく、ミニショベルカー等の工事機器をも含んでもよい。各工事用保安用品の形状データとしては、少なくとも配置する際に使用する平面図だけでなく、視点位置から配置された中心を通り視点位置に垂直な面に現れる投影図を備える。
【００２２】
視点位置としては、平面図を眺める各工事用保安用品の上部からの視点位置の他に、好ましくは、側面位置、斜め上方位置からの視点位置の他に、自動車ドライバーの視点位置を選択可能とする。これにより、工事現場や各工事用保安用品が自動車ドライバーからどのように見えるのかの理解が容易になる。
【００２３】
自動車は工事現場へ徐々に近づいてくるように移動させるようにしてもよい。そのためには、ドライバーの視点位置も工事現場へ徐々に近づいてくるように移動させる。そのための道路図の視点位置図と、投影図とを多数備えなければならず、各工事用保安用品の形状データが膨大となる。そのため、道路図の画像表示用データと工事保安用品の形状データとを３次元形状データで構成し、各々を視点位置に応じた各投影図を表示するようにする。従って、好ましくは、表示制御手段で表示された保安用品の画像表示用データが、保安用品の３次元形状データを含むものである。
【００２４】
これにより、道路図及び工事用保安用品の形状データが膨大とならないだけでなく、視点位置の自由度も増す。即ち、前述の各工事用保安用品の上部や側方からの視点位置の平面図や側面図をも、３次元形状データの投影図で表すことができ、この視点位置を自由に変更することにより、自動車ドライバーの視線が工事現場へ徐々に移動する投影図も、例えば、鳥が工事現場へ徐々に近づく投影図も表示することができる。
【００２５】
自動車を運転するドライバーにとっては、道路の周辺が見通しの悪いビル群か見通しの良い平野かによっても工事現場の印象が相違する。特に、見通しが悪いビル群であれば、前方が緩やかなカーブでそのカーブの先に横断歩道でもあるような状況では、即座に対応することは難しい。従って、好ましくは、道路図の画像表示用データは、道路周辺の３次元建物情報を含む縁路データを含む。これにより、工事現場の手前に交通標識が必要か否かの判断も容易となる。
【００２６】
更に、自動車を運転するドライバーにとっては、昼間か夜間かによっても工事現場の印象が相違する。特に、選択された工事用保安用品が夜間どのように見えるのかが判らなければ安全な走行は難しい。従って、道路データと工事用保安用品の形状データとが、夜間の状態を示すデータを含む。これにより、ドライバー及び歩行者の安全を確保するためにどのような工事用保安用品が必要か否かの判断も容易となる。また、例えば、申請を行う警察署や役所内で、申請の審査官に対して画像を見ながら説明できるだけでなく、審査官の要望による変更にも即座に対応することができ、申請から許諾への時間が大幅に短縮される。
【００２７】
特に、工事用保安用品のどの部分がどのように発光するのか、また、どの部分がヘッドライト等で反射してどのように光るのかが事前に判れば、工事に必要で充分な最適な工事用保安用品を選択することができ、結果的にドライバー及び歩行者の安全を確保することが可能となる。
【００２８】
前述のような工事用保安用品配置システムは、種々のデータを納めたＣＤ−ＲＯＭ等の媒体で配布することも可能である。しかしながら、年々改良される工事用保安用品や、年々状況の変化する道路事情にはバージョンアップや追加データ等でしか対応できない。
【００２９】
そこで、本発明は、１つ以上の道路工事区画を模した道路図の画像表示用データを記録させた道路図記録手段と、前記道路工事に用いられる１つ以上の保安用品の画像表示用データを記録させた保安用品記録手段とを備え、１つ以上のネット端末からネット回線を介してアクセス可能なホストコンピュータと、
前記ホストコンピュータの道路図記録手段から１つの道路図を選択する道路図選択手段と、前記保安用品記録手段から１つ以上の保安用品を選択する保安用品選択手段と、選択された前記道路図中へ選択された前記保安用品を配置する位置を設定する配置位置設定手段と、各々に選択された道路図と保安用品との各画像表示用データに基づいて表示すべき画像に対する視点位置を選択する視点選択手段と、前記各画像表示用データで表される道路図と該道路図上に配置される保安用品とを前記視点位置から見た画像として表示画面に表示させる表示制御手段によって得られた画像をネット端末の表示装置に表示させる表示手段とを備えたネット端末と、前記ネット端末の表示装置に表示された画像をプリントアウトする印刷手段とを備えたものである。
【００３０】
即ち、前述の道路図記録手段と保安用品記録手段とをホストコンピュータに保存しておき、これをネット回線によってアクセスしたネット端末によって、道路図選択手段と保安用品選択手段とで道路図及び保安用品を選択し、配置位置設定手段と視点選択手段とを設定し、各々に選択された道路図と保安用品との各画像表示用データに基づいて表示すべき画像に対する視点位置を選択する視点選択手段と、前記各画像表示用データで表される道路図と該道路図上に配置される保安用品とを前記視点位置から見た画像として表示画面に表示させる表示制御手段によって得られた画像をネット端末の表示手段で表示させ、プリントアウトするものである。これにより、年々改良される工事用保安用品や、年々状況の変化する道路事情に対応できる。
【００３１】
道路図については、好ましくは、道路図記録手段に記憶された道路図の画像表示用データに該当しない道路図を作成する道路作図手段を前記ホストコンピュータ又はネット端末に備える。また、作成された道路形状図を道路図の画像表示用データとして前記道路図記録手段に記憶させる。
【００３２】
更に、保安用品記録手段が保安用品ごとの商品価格を記憶した価格データを更に備え、保安用品選択手段で選択された保安用品の総合価格を算出し、算出結果を表示装置に表示する算出手段を備えたものでは、各工事用保安用品を販売又はレンタルする会社における価格データが検討段階で判明するため、工事を発注する側及び請け負う側も対応を迅速に行うことができる。
【００３３】
【実施例】
実施例１．ブロック図
図１は本発明の工事用保安用品配置システムの一実施例の構成を示すブロック図である。図に示す通り、本発明の工事用保安用品配置システムは、主として、道路図記録手段としての外部データ入力ファイル０４と、保安用品記録手段としての３Ｄデータベースファイル０３とを管理するファイル管理システム０５と、ファイル管理システムから道路図及び保安用品の３次元モデルを呼び出し、操作画面上にて交通誘導装置のレイアウト検討を行う表示制御手段としての３次元モデル構成システム０６からなるファイル結合サブシステム０７と、配置位置設定手段としての配置画像視点情報システム１０を含む表示サブシステム１４とからなる。
【００３４】
道路図及び３次元データ等の格納場所であるファイル管理システム０５のうち３Ｄデータベースファイル０３の３次元データは３次元モデラー等により構築される。具体的には「Ｓｈｏｃｋｗａｖｅ  ３Ｄ」フォーマットに沿って構築されている。構築時に動作情報・発光情報を付加する必要のあるものはこの時点で記録される。道路図及び保安用品等の３次元データの更新データは外部のＡＳＰサーバ０１から行われる。
【００３５】
また、主に道路図の平面データを記録する外部データ入力ファイル０４については、独自に道路図を作成して記録させてもよいが、ＧＩＳデータインポート手段０２によりＧＩＳ（地理情報システム：Ｇｅｏｇｒａｐｈｉｃａｌ  Ｉｎｆｏｒｍａｔｉｏｎ  Ｓｙｓｔｅｍ）データをインポートして使用することも可能としている。
【００３６】
道路図及び３次元データ等の格納場所であるファイル管理システム０５からファイル結合サブシステム０７へ各選択手段としてのマウスにより指令が与えられ、更に必要な道路図と保安用品との画像表示用データが選ばれる。更に、配置位置設定手段としてのマウスによって操作画面上にて交通誘導装置のレイアウト検討が行なわれる。各データの選択には、ファイル結合サブシステム０７に内臓されている検索システムにより、用途、種類、個数などの検索キーワードに連動して操作画面に呼び出し、グラフィカル標示されたものをマウスで選択して行われる。
【００３７】
標示された３次元データは３次元形状データの他に各々固有情報を有している。固有情報には、個々の用途に応じた動作情報や照明（発光）情報、個々の価格情報等がある。また、道路図は形状データの他に住所情報等を有することもできる。更に、配置検討画面には、予め複数の視点情報が記録されており、必要に応じた目線で眺めることが出来る。
【００３８】
配置検討画面上でのレイアウトに際しては、先ず道路図を選択し、必要と思われる保安用品を検索・選択し、道路頭上に配置する。保安用品は画面上で自由に移動させることが可能である。また、視点情報に応じた目線で配置した保安用品の３次元形状を眺めることが可能である。
【００３９】
表示サブシステム１４には、配置検討画面での道路図と保安用品との画像表示用データに基づいて表示すべき画像に対する視点位置を選択する配置画像視点情報システム１０の他に、配置検討画面で表示されている保安用品について、個々の価格情報に基づいて積算して見積を算出する積算・見積システム１１と、配置検討画面で表示されている保安用品について、照明（発光）情報に基づいて夜間での表示画面とする環境徐放システムと、レイアウトされた配置検討画面の平面図や各視点位置での画像をプリントアウトする画像・図面プリントアウトシステムとを備えている。
【００４０】
また、これらシステム以外にも、配置検討画面の配置・環境情報を記録する配置環境情報記録手段０８及びＣＡＤ・ＧＩＳデータにエクスポートするＣＡＤ・ＧＩＳデータ出力手段０９を備え、画面の配置情報などを記録し、画像情報や３次元情報別に出力することが可能としている。
【００４１】
以上のシステムについて、ファイル管理システムとファイル結合サブシステムとをホストコンピュータに備え、表示サブシステムをネット端末に備える。ネット回線によってホストコンピュータにアクセスしたネット端末でのマウス操作によりファイル管理システムの道路図及び保安用品を選択し、ネット端末でのマウス操作により配置位置設定と視点選択との設定を行って、ホストコンピュータ上のファイル結合サブシステムに指示を与える。ホストコンピュータのファイル結合サブシステムは、処理された画像情報をネット端末の表示画面で表示させ、ネット端末でプリントアウトする。これにより、年々改良される工事用保安用品や、年々状況の変化する道路事情に対応することも可能となる。
【００４２】
尚、各画像表示用データで表される道路図と該道路図上に配置される保安用品とを前記視点位置から見た画像として表示画面に表示させる表示制御手段については、ホストコンピュータ又はネット端末の何れかでもよいが、画像処理に多大なＣＰＵの負荷がかかるため、好ましくはホストコンピュータのような演算処理能力の高い方が選ばれる。
【００４３】
実施例２．フローチャート
図２は本発明の工事用保安用品配置システムの一実施例のフローチャートである。このフローチャートを用いて本発明の工事用保安用品配置システムの操作工程の例を説明する。図に示す通り、先ずあらかじめ登録されている道路図のデータベースより選択条件に近い画像を表示する（２０）。この場合、条件に該当するものがない場合は外部情報を読み込み機能を用いてインポートする（２１）。外部情報としては、地図ソフト、ＧＩＳ情報、画像情報などが利用できる。
【００４４】
道路工事等に必要と思われる保安用品を選定し（２２）し、登録されている３Ｄデータベースより該当する機器を選択表示する（２３）。３Ｄデータベースは常に更新データをインポートして使用する（２４）。必要条件をセットした後に保安用品等をレイアウト画面に配置検討する（２５）。
【００４５】
配置された３Ｄオブジェクトには各々に固有の価格情報がリンクされているのでレイアウト画面に配置された個数に応じた積算情報が自動表示される（２６）。レイアウト検討された情報は他にも転用できるように外部出力機能を有する（２７）。図面、配置画像をプリントアウトする（２９）。
【００４６】
実施例３．配置検討画面の操作
図３は道路図の平面表示画面を示す説明図である。図４は図３の道路図に３種類保安用品を配置した平面表示画面を示す説明図である。図５は図４の自動車のドライバー視線での表示画面を示す説明図である。図６は図４の斜め上方からの表示画面を示す説明図である。図７は図５の自動車のドライバー視線が工事現場に近づいてきた状態の表示画面を示す説明図である。図８は図５の自動車のドライバー視線での夕景の表示画面を示す説明図である。図９は図８の自動車のドライバー視線での夜景の表示画面を示す説明図である。
【００４７】
図３に示す通り、画面内に片側２車線の道路面が表示されている。図４に示す通り、道路図に工事標識３１と、誘導標識３２と、複数のパイロン３３とを配置した。各保安用品は、マウスのクリック操作により道路面にの任意の位置に移動させることが可能である。
【００４８】
画面はソフト内に配置されている複数のカメラを使用して配置状態を立体的に確認することができる。例えば、図５のドライバー視線や、図６の斜め上方からの視線、図７の近づきつつあるドライバー視線等を切り替えることができる。尚、操作する者の自由に追従するフリーカメラも掲載することができる。
【００４９】
図８及び図９に示す通り、図３〜図７の昼間の配置状況の他に、夕景及び夜景を切り替えて標示することも可能である。
【００５０】
【発明の効果】
本発明は以上説明した通り、道路工事の際に警察署又は役所へ提出する工事用保安用品等を配置した配置図を簡便に作成することができ、それに伴って配置を説明する際に容易に理解を得ることができる。また、道路工事に際して不足無く工事用保安用品を選択し、道路状況に応じて最適な配置に配することを事前に検討することができ、結果的に工事現場に差し掛かるドライバー及び歩行者の安全を確保することができるという効果がある。
【図面の簡単な説明】
【図１】本発明の工事用保安用品配置システムの一実施例の構成を示すブロック図である。
【図２】本発明の工事用保安用品配置システムの一実施例のフローチャートである。
【図３】道路図の平面表示画面を示す説明図である。
【図４】図３の道路図に３種類保安用品を配置した平面表示画面を示す説明図である。
【図５】図４の自動車のドライバー視線での表示画面を示す説明図である。
【図６】図４の斜め上方からの表示画面を示す説明図である。
【図７】図５の自動車のドライバー視線が工事現場に近づいてきた状態の表示画面を示す説明図である。
【図８】図５の自動車のドライバー視線での夕景の表示画面を示す説明図である。
【図９】図８の自動車のドライバー視線での夜景の表示画面を示す説明図である。
【図１】
2004157905.tif 000003
【図２】
2004157905.tif 000004
【図３】
2004157905.tif 000005
【図４】
2004157905.tif 000006
【図５】
2004157905.tif 000007
【図６】
2004157905.tif 000008
【図７】
2004157905.tif 000009
【図８】
2004157905.tif 000010
【図９】
2004157905.tif 000011